(57)【要約】【課題】通常の書棚を、必要に応じて、書棚から取り出した書物を手で抱えることなくその場で開くことができ、調べものやメモを楽に行うことができる書棚とすることができる書棚用棚板を得る。【解決手段】  書棚への着脱自在構造を備える、書棚本体から物品出し入れ方向手前側に引出し可能な、閲覧用の書物載置棚が、書物載置棚と書棚本体との固定手段を備え、該書棚への着脱自在構造が、書棚本体へ着脱自在なブラケットであり、該ブラケットには伸縮レールが取り付けられ、該伸縮レールが棚板本体の左右側面に取り付けられることで書棚本体から物品出し入れ方向手前側に引出し可能となるように構成する。【選択図】図６
2020130751.tif 000002
【特許請求の範囲】
【請求項１】
書棚への着脱手段を備える、書棚本体から物品出し入れ方向手前側に引出し可能な、閲覧用の書物載置棚。
【請求項２】
前記書物載置棚の書棚本体の物品出し入れ方向奥側に、書棚本体に収納された状態で、書棚本体との固定手段を備えることを特徴とする請求項１に記載の閲覧用の書物載置棚。
【請求項３】
前記書物載置棚が、書棚本体から物品出し入れ方向手前側に引出した状態で、書棚本体との固定手段を備えることを特徴とする請求項１又は請求項２に記載の閲覧用の書物載置棚。
【請求項４】
前記書物載置棚が、書棚本体から物品出し入れ方向手前側に引出した状態で、物品出し入れ方向手前側が物品出し入れ方向奥側よりも低い位置となるように構成されていることを特徴とする請求項１乃至請求項３に記載の閲覧用の書物載置棚。
【請求項５】
前記書物載置棚の、載置棚板の物品出し入れ方向奥側の左右幅方向の一辺において、該載置棚板の上面から略直角上方へ、書棚本体への固定手段取付用部材が突出するように構成されていることを特徴とする請求項１乃至請求項４に記載の閲覧用の書物載置棚。
【請求項６】
前記書棚への着脱自在構造が、書棚本体へ着脱自在なブラケットであり、該ブラケットには伸縮レールが取り付けられ、該伸縮レールが棚板本体の左右側面に取り付けられることで書棚本体から物品出し入れ方向手前側に引出し可能となるように構成されていることを特徴とする閲覧用の書物載置棚。
【発明の詳細な説明】
【技術分野】
【０００１】
本発明は、着脱可能な書棚用棚板に関する。
【背景技術】
【０００２】
書棚から必要な書物を取り出し、その場で調べものをしようとする場合に、周囲に書物の置き場がない場合は、その書物を手に持って調べものをせざるをえないが、紙製の厚い書物はかなり重い場合が多く、書物を長くは持っていると持っている手をはじめ、姿勢を保つために身体各部に負担がかかる。また、調べ物の際には開かれている書物の内容をメモすることが必要な場合が多いが、一方の手に書物を持ちながら、他方の手で調べた事柄を手帳やノートにメモするというようなことは、困難であるのが通常である。したがって、調べようとする書物についてその場で内容を調べてメモ等を作成するのが困難であることから、書棚から離れたところにある机等まで書物をもって移動し、また、追加の書物が必要になったり、改めて一度調べた書物を調査しなおす必要が生じた場合など、書棚と机を往復するなど、時間のロスや身体への負担が生じる。
【０００３】
そのような問題を解決するために、棚板が、閲覧用の書物載置板を、棚板本体から手前方向に引出し可能に備えていることを特徴とする書棚（特許文献１）が知られている。
【０００４】
しかし、上記書棚は、あらかじめ特定の書棚と書物載置板が一体となって構成されており、通常の書棚による書類倉庫や書庫において、後から引き出し可能な書物載置板を備えた書棚が必要になった場合などに、書棚を全て入れ替える必要が生じるという問題があった。
【先行技術文献】
【特許文献】
【０００５】
【特許文献１】特開２０００−０３７２４４号公報
【発明の概要】
【発明が解決しようとする課題】
【０００６】
本発明はこのような事情に鑑みてなされたものであり、通常の書棚を、必要に応じて、書棚から取り出した書物を手で抱えることなくその場で開くことができ、調べものやメモを楽に行うことができる書棚とすることができる書棚用棚板を提供することを目的とする。
【課題を解決するための手段】
【０００７】
このような目的に応えるために、本発明に係る書物載置棚は、書棚への着脱手段を備え、書棚本体から物品出し入れ方向手前側に引出し可能であることを特徴とする。
【０００８】
このような構成によれば、書棚への着脱手段を書棚に取り付けて、書物載置板の寸法は既設の書棚に合わせて選ぶことができるので、既設の書棚に必要に応じて書棚本体から物品出し入れ方向手前側に引出し可能な書物載置板を設置することができ、調べものやメモを楽に行うことができる。
【０００９】
また、このような目的に応えるために、本発明に係る書物載置棚は、書棚本体に収納された状態で、書棚本体との固定手段を備えることを特徴とする。
【００１０】
このような構成によれば、書物載置板を使用していない場合に物品出し入れ方向手前側に出てきてしまうことを防止することで、歩行や書籍運搬の妨害とならないようにすることができる。
【００１１】
さらに、このような目的に応えるために、本発明に係る書物載置棚は、書物載置棚が、書棚本体から物品出し入れ方向手前側に引出した状態で、書棚本体との固定手段を備えることを特徴とする。
【００１２】
このような構成によれば、書物載置板を引き出した状態で上に書籍等を載せて調べものやメモ等を行う際に、書物載置板が棚板の下に引き込まれてしまうのを防止ることができる。
【００１３】
一方、このような目的に応えるために、本発明に係る書物載置棚は、書棚本体から物品出し入れ方向手前側に引出した状態で、物品出し入れ方向手前側が物品出し入れ方向奥側よりも低い位置となるように構成されていることを特徴とする。
【００１４】
このような構成によれば、書物載置板に乗せて広げた書物のページを見る際に、書籍上部を持ち上げなくても書籍を見やすい角度で載置することができる。
【００１５】
そして、このような目的に応えるために、本発明に係る書物載置棚の、載置棚板の物品出し入れ方向奥側の左右幅方向の一辺において、該載置棚板の上面から略直角上方へ、書棚本体への固定手段取付用部材が突出するように構成されていることを特徴とする。
【００１６】
このような構成によれば、上方へ突出した部材に、書棚の物品出し入れ方向奥側にも物品出し入れ方向手前側にも固定手段を取りつけることが容易となる。
【００１７】
その上、このような目的に応えるために、本発明に係る書物載置棚は、書棚への着脱自在構造が、書棚本体へ着脱自在なブラケットであり、該ブラケットには伸縮レールが取り付けられ、該伸縮レールが棚板本体の左右側面に取り付けられることで書棚本体から物品出し入れ方向手前側に引出し可能となるように構成されていることを特徴とする。
【００１８】
このような構成によれば、既設の書棚に必要に応じて書棚本体から物品出し入れ方向手前側に引出し可能な書物載置板において、構造が簡易なので低コストで提供することができる。
【発明の効果】
【００１９】
以上説明したように本発明に係る書物載置棚によれば、通常の書棚を、必要に応じて、書棚から取り出した書物を手で抱えることなくその場で開くことができ、調べものやメモを楽に行うことができる書棚とすることができるという優れた効果がある。
【図面の簡単な説明】
【００２０】
【図１】図１は書物載置板を出入りさせる伸縮レールの斜視図である。
【図２】図２は図１の伸縮レールに書物載置板を取り付けた状態の斜視図である。
【図３】図３は図２の書物載置板をアングル棚の柱に取り付けた状態の斜視図である。
【図４】図４は図３の書物載置板を引き出した状態の斜視図である。
【図５】図５は図３の状態に書棚板を取り付けた状態の斜視図である。
【図６】図６は図５の書物載置板を引き出した状態の斜視図である。
【図７】図７は物品出し入れ方向奥側に突出部を備えた書物載置板をアングル棚に取り付けた状態を側面から見たイメージ図である。
【図８】図８は図７の書物載置板を引き出した状態のイメージ図である。
【図９】図９は物品出し入れ方向手前側が物品出し入れ方向奥側より下がる構造の書物載置板をアングル棚に取り付けた状態を側面から見たイメージ図である。
【図１０】図１０は図９の書物載置板を引き出した状態のイメージ図である。
【発明を実施するための形態】
【００２１】
本発明は以上のような構成であるので、これを図面に基づきながら本発明の実施の形態を説明する。
【００２２】
図１は、本発明に係る書物載置棚用の書物載置板を出入りさせる伸縮レールを取り付けたブラケットの斜視図である。（ａ）は伸縮レールが縮んだ状態を、（ｂ）は伸縮レールが伸びた状態を示す。
【００２３】
（ａ）で示すように、ブラケット１３にブラケット側伸縮レール１４を取り付け、ブラケット側伸縮レール１４に書物載置板伸縮レール１５を取り付ける。（ｂ）で示すように、書物載置板側伸縮レール１５をスライドさせる。
【００２４】
図２は、本発明に係る書物載置棚用の書物載置板を出入りさせる伸縮レールを取り付けたブラケットに、書物載置板を取り付けた状態の斜視図である。（ａ）は伸縮レールが縮んだ状態を、（ｂ）は伸縮レールが伸びた状態を示す。
【００２５】
（ａ）で示すように、ブラケット側伸縮レール１４に書物載置板伸縮レール１５が収納された状態では、書物載置板１０は両ブラケット１３の間に収納される。（ｂ）で示すように、書物載置板側伸縮レール１５がスライドされて伸びた状態では、書物載置板１０は両ブラケット１３の間から引き出された状態となる。
【００２６】
図３は図２の書物載置板をアングル棚の柱に取り付けた状態の斜視図である。
【００２７】
書物載置板１０は両ブラケット１３の間に収納されていることにより、書棚に収納されている。
【００２８】
図４は図３の書物載置板を引き出した状態の斜視図である。
【００２９】
書物載置板側伸縮レール１５がスライドされて伸びた状態では、書物載置板１０は両ブラケット１３の間から引き出され、書棚から引き出された状態となる。
【００３０】
図５は図３の状態に書棚板を取り付けた状態の斜視図である。
【００３１】
書物載置板１０は書棚板２１の下部で、書棚に収納されている。
【００３２】
図６は図５の書物載置板を引き出した状態の斜視図である。
【００３３】
書物載置板１０は書棚板２１の下部から物品出し入れ方向手前側に引き出されている。
【００３４】
図７は物品出し入れ方向奥側に突出部を備えた書物載置板１１を鉄製のアングル棚に取り付けた状態を側面から見たイメージ図である。
【００３５】
物品出し入れ方向奥側に突出部を備えた書物載置板１１の突出部にマグネット３１を備えることで、収納された書物載置板１１はマグネット３１の磁力で、物品出し入れ方向奥側の鉄製のアングル棚の柱２０又は鉄製の書棚板２１に磁着されることで固定され、書物載置板１１は安定した収納状態におかれ、引き出されないのに出てきてしまって通行などの障害となることはない。
【００３６】
図８は図７の書物載置板を引き出した状態のイメージ図である。
【００３７】
物品出し入れ方向奥側に突出部を備えた書物載置板１１の突出部にマグネット３１を備えることで、引き出された書物載置板１１はマグネット３１の磁力で、物品出し入れ方向手前側の鉄製のアングル棚の柱２０又は鉄製の書棚板２１に磁着されることで固定され、書物載置板１１は使用中に物品出し入れ方向奥側に収納されるように動いて、調べものやメモがやりにくい状態となることはない。
【００３８】
図９は物品出し入れ方向手前側が物品出し入れ方向奥側より下がる構造の書物載置板をアングル棚に取り付けた状態を側面から見たイメージ図である。
【００３９】
書物載置板１２の物品出し入れ方向奥側にマグネット３２を備えることで、収納された書物載置板１２はマグネット３２の磁力で、物品出し入れ方向奥側の鉄製のアングル棚の柱２０又は鉄製の書棚板２１に磁着されることで固定され、書物載置板１２は安定した収納状態におかれ、引き出されないのに出てきてしまって通行などの障害となることはない。
【００４０】
図１０は図９の書物載置板を引き出した状態のイメージ図である。
【００４１】
物品出し入れ方向手前側が物品出し入れ方向奥側より下がる構造の書物載置板１２は、重力により使用中に物品出し入れ方向奥側に収納されるように動いて、調べものやメモがやりにくい状態となることはない。物品出し入れ方向手前側が物品出し入れ方向奥側より下がっていることで、書物載置板１２上において書物は読みやすい角度に載置される。
【００４２】
なお、本発明は上述した実施の形態で説明した構造には限定されず、実施の形態を適宜変形、変更し得ることはいうまでもない。
【００４３】
例えば、書物載置板と棚との固定手段は、マグネットに限らず、面ファスナーや弾性を備える部材による嵌合構造によるなど、多様な構造を利用することができる。
【００４４】
さらに、書棚にブラケットを取り付けるだけでなく、伸縮レールを備えた板状体を書棚の両端に立てて置き、伸縮レールに書物載置板を取り付けるなどによる着脱構造もまた本発明の範囲に属する。
【符号の説明】
【００４５】
１０    書物載置板
１１    書物載置板
１２    書物載置板
１３    ブラケット
１４    ブラケット側伸縮レール
１５    書物載置板側伸縮レール
２０    アングル棚柱
２１    書棚板
３１    マグネット
３２    マグネット
【図１】
2020130751.tif 000003
【図２】
2020130751.tif 000004
【図３】
2020130751.tif 000005
【図４】
2020130751.tif 000006
【図５】
2020130751.tif 000007
【図６】
2020130751.tif 000008
【図７】
2020130751.tif 000009
【図８】
2020130751.tif 000010
【図９】
2020130751.tif 000011
【図１０】
2020130751.tif 000012